(57)【要約】【課題】表示画面を動かすことなく、カバーおよび表示画面からの反射光を抑制可能な表示装置およびこれを備える電子機器を提供することを目的とする。【解決手段】表示画面１１と、表示画面１１の外側に配置され、表示画面１１に対する角度が変更可能に設けられた透明のカバー１３と、表示画面１１とカバー１３との間の空間を全周に渡って密閉するとともに、表示画面１１とカバー１３との間隔方向に伸縮可能な伸縮部材１５と、伸縮部材１５により密閉された表示画面１１とカバー１３との間の空間に充填された変形可能な透明部材１７とを備える表示装置１を採用する。【選択図】図１
2010169907.tif 000002
【特許請求の範囲】
【請求項１】
表示画面と、
該表示画面の外側に配置され、前記表示画面に対する角度が変更可能に設けられた透明のカバーと、
前記表示画面と前記カバーとの間の空間を全周に渡って密閉するとともに、前記表示画面と前記カバーとの間隔方向に伸縮可能な伸縮部材と、
該伸縮部材により密閉された前記表示画面と前記カバーとの間の空間に充填された変形可能な透明部材とを備える表示装置。
【請求項２】
前記表示画面が、液晶ディスプレイ、プラズマディスプレイ、有機エレクトロルミネッセンスディスプレイ、電界放出ディスプレイ、電子ペーパー、ブラウン管ディスプレイ、発光ダイオードディスプレイのいずれかである請求項１に記載の表示装置。
【請求項３】
前記カバーに対する外光の入射方向を検知する外光センサーと、
該外光センサーにより検知された外光の入射方向に基づいて、前記カバーを駆動させ、前記表示画面に対する角度を変化させるカバー駆動部とを備える請求項１または請求項２に記載の表示装置。
【請求項４】
前記透明部材が、液体、分散体、弾性体のいずれかである請求項１から請求項３のいずれかに記載の表示装置。
【請求項５】
前記透明部材の屈折率が、１．２から１．８である請求項４に記載の表示装置。
【請求項６】
前記透明部材が、パラフィンオイルである請求項５に記載の表示装置。
【請求項７】
請求項１から請求項６のいずれかに記載の表示装置と、
被写体を撮影する撮像装置と、
該撮像装置により取得された画像を前記表示装置に表示させる制御部とを備える電子機器。
【発明の詳細な説明】
【技術分野】
【０００１】
本発明は、屋外での視認性を改善した表示装置およびこれを備える電子機器に関するものである。
【背景技術】
【０００２】
デジタルカメラや携帯電話等の表示画面は、屋内で使用する時には、良好な視認性を有していても、屋外で使用する時には、太陽光が表示画面の表面に反射して視認性を阻害することがある。具体的には、ユーザやユーザの背景が表示画面に写り込んだり、反射光により表示画面のコントラストが低減したり、表示画面の表面において鏡面反射が起こって視認性を著しく阻害する場合がある。特に、表示画面を保護するためのカバーが設けられている場合には、表示画面の表面での反射に加えてカバーの表面および裏面での反射が加算されるため、これらの現象が顕著に現れる。
【０００３】
従来、カバーの裏面と表示画面の表面の反射を抑えるために、表示画面とカバーとの間に透明の液体や樹脂などを充填する方法が知られている（例えば、特許文献１および特許文献２参照）。また、写りこみを改善するために、表示画面とカバーを一体的に可動させ、反射光を偏向させる方法が知られている（例えば、特許文献３参照）。
【先行技術文献】
【特許文献】
【０００４】
【特許文献１】特開２００３−２９５７８０号公報
【特許文献２】特開平５−１１２３９号公報
【特許文献３】特開２００８−２８６１６号公報
【発明の概要】
【発明が解決しようとする課題】
【０００５】
しかしながら、特許文献１および特許文献２に開示されている方法では、カバー表面の反射を防ぐことができない。カバー表面の反射率を抑えるためには、表面にＡＲコーティングや微細加工等の低反射処理をするのが一般的であるが、これらの低反射処理は耐久性が低いという特徴を有している。したがって、使用していくうちに、ＡＲコーティングではコーティングが剥がれ、微細加工では微細形状が磨耗してしまい、当初の低反射処理の効果が劣化してしまうという不都合がある。
【０００６】
また、特許文献３に開示されている方法では、表示画面の表面からの正反射光をユーザから外すことはできるが、カバーと表示画面を一体的に動かしてしまうと、ユーザは表示画面を斜め方向から見ることになる。ここで、表示画面の一例として液晶ディスプレイを挙げると、液晶ディスプレイは視野角が狭いという特徴を有している。したがって、液晶ディスプレイをカバーと一緒に動かしてしまうと、明るさや色が変わってしまうという不都合がある。
【０００７】
本発明は、上記事情に鑑みてなされたもので、表示画面を動かすことなく、カバーおよび表示画面からの反射光を抑制可能な表示装置およびこれを備える電子機器を提供することを目的とする。
【課題を解決するための手段】
【０００８】
上記課題を解決するために、本発明は以下の手段を採用する。
本発明は、表示画面と、該表示画面の外側に配置され、前記表示画面に対する角度が変更可能に設けられた透明のカバーと、前記表示画面と前記カバーとの間の空間を全周に渡って密閉するとともに、前記表示画面と前記カバーとの間隔方向に伸縮可能な伸縮部材と、該伸縮部材により密閉された前記表示画面と前記カバーとの間の空間に充填された変形可能な透明部材とを備える表示装置を採用する。
【０００９】
このような表示装置によれば、表示画面に対するカバーの角度を変化させることにより、カバー表面からの反射光の向きを偏向させて、正反射光をユーザから外すことができる。また、例えば蛇腹等の伸縮部材により密閉された表示画面とカバーとの間の空間に、透明部材を充填することにより、表示画面とカバーとの間の空気層を無くして、カバー裏面および表示画面表面における反射を抑制することができる。これにより、表示画面の角度を変化させることなく、カバー表面、カバー裏面、および表示画面表面からの反射を抑制することができ、屋外でも良好な視認性を確保することができる。
【００１０】
上記の表示装置において、前記表示画面が、液晶ディスプレイ、プラズマディスプレイ、有機エレクトロルミネッセンスディスプレイ、電界放出ディスプレイ、電子ペーパー、ブラウン管ディスプレイ、発光ダイオードディスプレイのいずれかであることとしてもよい。
表示装置が、液晶ディスプレイ（ＬＣＤ）、プラズマディスプレイ（ＰＤＰ）、有機エレクトロルミネッセンスディスプレイ（ＯＬＥＤ）、電界放出ディスプレイ（ＦＥＤ）、電子ペーパー、ブラウン管ディスプレイ（ＣＲＴ）、発光ダイオード（ＬＥＤ）ディスプレイのいずれかの場合にも、表示画面の角度を変化させることなく良好な視認性を確保することができ、表示画面の明るさや色が変わってしまうことを防止することができる。
【００１１】
上記の表示装置において、前記カバーに対する外光の入射方向を検知する外光センサーと、該外光センサーにより検知された外光の入射方向に基づいて、前記カバーを駆動させ、前記表示画面に対する角度を変化させるカバー駆動部とを備えることとしてもよい。
外光センサーにより検知された外光の入射方向に基づいて、カバー駆動部によりカバーを駆動させ、表示画面に対する角度を変化させることで、ユーザがカバーを押圧することなく、カバー表面からの正反射光をユーザから外すことができる。
【００１２】
上記の表示装置において、前記透明部材が、液体、分散体、弾性体のいずれかであることとしてもよい。
透明部材を液体、ゲル等の分散体、弾性体のいずれかとすることで、容易にカバーを動かして表示画面に対する角度を変化させることができる。特に、弾性体を採用することで、弾性力によりカバーを角度変化前の位置に復元することができる。
【００１３】
上記の表示装置において、前記透明部材の屈折率が、１．２から１．８であることとしてもよい。
このようにすることで、透明部材の屈折率をカバーと同等にすることができ、カバー裏面および表示画面表面における反射を効果的に抑制することができる。
【００１４】
上記の表示装置において、前記透明部材が、パラフィンオイルであることとしてもよい。
透明部材をパラフィンオイルとすることで、例えば、カバーをアクリル製とした場合に、透明部材の屈折率をカバーの屈折率と同等にすることができ、カバー裏面および表示画面表面における反射を効果的に抑制することができる。
【００１５】
本発明は、上記のいずれかに記載の表示装置と、被写体を撮影する撮像装置と、該撮像装置により取得された画像を前記表示装置に表示させる制御部とを備える電子機器を採用する。
このような電子機器によれば、表示画面の角度を変化させることなく、カバー表面、カバー裏面、および表示画面表面からの反射を抑制し、良好な視認性を確保した状態で、撮像装置により被写体の撮影を行うことができる。
【発明の効果】
【００１６】
本発明によれば、表示画面を動かすことなく、カバーおよび表示画面からの反射光を抑制することができるという効果を奏する。
【図面の簡単な説明】
【００１７】
【図１】第１の実施形態に係る表示装置の概略構成を示す模式図であって、（ａ）は正面図、（ｂ）はＡ−Ａ´断面図である。
【図２】図１の表示装置に押圧力を加えた状態を示す模式図であって、（ａ）は正面図、（ｂ）はＢ−Ｂ´断面図である。
【図３】反射光の状態を示す模式図であって、（ａ）および（ｂ）は比較として示す従来の表示装置、（ｃ）は図１の表示装置である。
【図４】第２の実施形態に係る表示装置の概略構成を示す模式図である。
【図５】図４の表示装置に押圧力を加えた状態を説明する図であって、（ａ）は押圧力を加える前の状態、（ｂ）は押圧力を加えた後の状態である。
【図６】伸縮部材を取り付ける方法を説明する図であって、（ａ）は取り付ける前の状態、（ｂ）は取り付けた後の状態である。
【図７】透明部材を注入する方法を説明する図であって、（ａ）は注入前の状態、（ｂ）は注入後の状態である。
【図８】図１または図４の表示装置の処理手順を示すフローチャートである。
【図９】第１の変形例に係る表示装置の概略構成を示す模式図である。
【図１０】図９の表示装置の断面図である。
【図１１】第２の変形例に係る表示装置の概略構成を示す模式図であって、（ａ）は一方にカバーを傾斜させた状態、（ｂ）は他方にカバーを傾斜させた状態である。
【発明を実施するための形態】
【００１８】
［第１の実施形態］
以下に、本発明の第１の実施形態に係る表示装置について、図面を参照して説明する。
図１（ａ）は本実施形態に係る表示装置１の正面図であり、図１（ｂ）は図１（ａ）のＡ−Ａ´断面図である。
図１（ａ）および図１（ｂ）に示すように、本実施形態に係る表示装置１は、画像を表示する表示画面１１と、表示画面１１の表面に対向して配置されたカバー１３と、表示画面１１とカバー１３との間の空間を全周に渡って密閉する伸縮部材１５と、伸縮部材１５により密閉された表示画面１１とカバー１３との間の空間に充填された透明部材１７とを備えている。
【００１９】
表示画面１１は、例えば液晶ディスプレイであり、視野角が狭いため、表示画面１１の表面に対して斜めから見ると、画像の明るさや色が変わってしまうという特徴を有している。
【００２０】
カバー１３は、例えばアクリル製の透明カバーであり、表示画面１１に表示された画像をカバー１３の外側からユーザが視認できるようになっている。カバー１３は、表示画面１１を保護するためのものであり、所定の強度を確保するために一定の厚みを有している。
【００２１】
伸縮部材１５は、例えば蛇腹形状等の伸縮可能な形状または材質にて構成されており、表示画面１１とカバー１３との間隔方向に伸縮可能なようになっている。伸縮部材１５により表示画面１１に接続されたカバー１３に対して、外部から押圧力を加えることで、表示画面１１に対するカバー１３の角度を変化させることができるようになっている。
【００２２】
透明部材１７は、例えば水やパラフィンオイル等の透明の液体であり、表示画面１１に対するカバー１３の角度変化や伸縮部材１５の伸縮に伴って変形するようになっている。また、透明部材１７は、その屈折率が１．２から１．８とされており、より好ましくはカバー１３の屈折率に近い屈折率とされていることが望ましい。このようにすることで、カバー１３の裏面および表示画面１１の表面における反射を、より効果的に抑制することができる。特に、カバー１３がアクリル製の場合には、透明部材１７としてアクリルに近い屈折率を有するパラフィンオイルを採用することにより、カバー１３の裏面および表示画面１１の表面における反射を、より効果的に抑制することができる。
【００２３】
上記構成を有する表示装置１の動作について以下に説明する。
図２（ａ）および図２（ｂ）は、表示装置１に外部から押圧力を加えた状態を示している。
図２（ａ）および図２（ｂ）に示すように、カバー１３に対して外部から押圧力１９を加えることにより、伸縮部材１５が伸縮して表示画面１１に対するカバー１３の角度が変化し、それに伴って伸縮部材１５により密閉された表示画面１１とカバー１３との間の空間に充填された透明部材１７が変形する。
【００２４】
このように動作させた場合の表示装置１の作用について以下に説明する。
図３（ｃ）は、図２（ｂ）のように表示装置１を動作させた場合の反射光の状態を示している。また、図３（ａ）および図３（ｂ）は、比較として示す従来の表示装置２，３の反射光の状態を示している。ここでは説明を簡略化するために、各図において表示画面１１の表面、カバー１３の表面および裏面における外光の反射率は全て４％とし、それぞれ対策を施すことによって反射率は０％に低減されることとして説明する。
【００２５】
図３（ａ）に示すように、表示画面１１とカバー１３との間に空気層２１が形成されている従来の表示装置２によれば、カバー１３の表面、カバー１３の裏面、表示画面１１の表面において、それぞれ４％の反射率で外光が反射され、合計として１２％の反射率でユーザ側に外光が反射されることとなる。
【００２６】
また、図３（ｂ）に示すように、表示画面１１とカバー１３との間に樹脂やゲル等の透明部材２５が充填されている従来の表示装置３によれば、カバー１３の裏面および表示画面１１の表面における外光の反射率は０％に低減されるものの、カバー１３の表面において４％の反射率で外光が反射され、合計として４％の反射率でユーザ側に外光が反射されることとなる。
【００２７】
一方、図３（ｃ）に示すように、本実施形態に係る表示装置１によれば、図３（ｂ）と同様にカバー１３の裏面および表示画面１１の表面における外光の反射率が０％に低減されるとともに、表示画面１１に対するカバー１３の角度を変化させることにより、カバー１３の表面からの反射光の向きを偏向させてユーザから外すことができる。その結果、合計の反射率を０％とすることができる。
すなわち、本実施形態に係る表示装置１によれば、表示画面１１の角度を変化させることなく、カバー１３の表面、カバー１３の裏面、および表示画面１１の表面からの反射を抑制することができ、屋外でも良好な視認性を確保することができる。
【００２８】
［第２の実施形態］
以下に、本発明の第２の実施形態に係る表示装置について、図面を参照して説明する。
本実施形態に係る表示装置が第１の実施形態と異なる点は、表示画面１１に対するカバー１３の角度を変化させる駆動機構（カバー駆動部）を組み込んだ点である。以下、本実施形態の表示装置１０について、第１の実施形態と共通する点については説明を省略し、異なる点について主に説明する。
【００２９】
図４は、本実施形態に係る表示装置１０を備えるカメラを背面部から示した図である。
カメラの背面部には、カバー１３の可動角度を調整するつまみ２３と、外光の向きを検知する外光センサー２５とが搭載されている。このつまみ２３を上下に回すと、回した方向にカバー１３が上下方向に可動する。なお、つまみ２３は、カメラの背面部のどこにあってもよく、左右方向に回す機構として、カバー１３を左右方法に可動することとしてもよい。
【００３０】
図５（ａ）および図５（ｂ）は、図４のＡ−Ａ断面を示す断面図である。図５（ａ）は、カバー１３が可動する前の状態を示した図である。また、図５（ｂ）は、表示装置１０を保護するカバー１３と一体的に、且つ、回転軸２４と同軸に配したつまみ２３を回転させることで、カバー１３の表示画面１１に対する角度が変化した状態を示したものである。
【００３１】
図５（ｂ）において、ばね性のあるクリック用つめ２７とクリック用凹凸２６がかみ合うことで、カバー１３が表示画面１１に対して傾斜した状態を維持している。
表示画面１１とカバー１３の外周部は伸縮部材１５で封止されており、その間にはカバー１３の屈折率とほぼ同じ屈折率の透明部材１７が充填されている。また、伸縮部材１５とカバー１３および表示画面１１とは接着されている。
【００３２】
透明部材１７は、前述のように、カバー１３、表示画面１１を変質させない透明液体等の材料であり、液体の屈折率は１．２〜１．８の範囲の材料であり、無色透明であることが望ましく、パラフィン油が有力であるが、水でも構わない。
【００３３】
図６（ａ）および図６（ｂ）は、伸縮部材１５をカバー１３および表示画面１１への取り付け方法を示した図である。
図６（ａ）は伸縮部材１５を取り付ける前の様子を示した図であり、この状態から伸縮部材１５を引っ張って伸ばし、図６（ｂ）に示すようにカバー１３と表示画面１１の周囲にはめ込む。これにより、伸縮部材１５がカバー１３と表示画面１１に密着し、接着剤を用いることなく、両者の間に注入される透明部材１７が漏れることを防ぐことができる。
【００３４】
図７（ａ）および図７（ｂ）は、透明部材１７を表示画面１１とカバー１３との間に注入する方法を示した図である。
図７（ａ）に示すように、表示画面１１とカバー１３との間を封止するゴム３６は、一部二重になっており、注射針などを二重ゴム部に刺して封止部内部に透明部材１７を注入する。これにより、図７（ｂ）に示すように、注入後に針を抜いても内層のゴム３６が収縮して、透明部材１７が外部に漏れることを防止することができる。すなわち、スポーツ用のボールに空気を入れるための「へそ」と同じ原理である。
【００３５】
上記構成を有する表示装置１０の作用について以下に説明する。
図５（ｂ）に示すように、外光センサー２５により検知された外光の入射方向に基づいてつまみ２３を回すことで、回転軸２４を中心としてカバー１３の表示画面１１に対する角度が変化させられて、その角度がクリック用つめ２７およびクリック用凹凸２６により維持される。これにより、ユーザがカバー１３を押圧することなく、カバー１３の表面からの正反射光をユーザから外すことができ、屋外でも良好な視認性を確保することができる。
【００３６】
なお、上記の表示装置１０において、回転軸２４を回転駆動する図示しないモータ（カバー駆動部）を設け、外光センサー２５により検知された外光の入射方向に基づいてモータを回転駆動することとしてもよい。このようにすることで、外光の入射方向に基づいてカバー１３の表示画面１１に対する角度を自動的に変化させ、カバー１３の表面からの正反射光をユーザから外すことができる。
【００３７】
また、上記の表示装置１，１０において、手動モードと自動モードのいずれかを選択して、カバー１３の表示画面１１に対する角度を変化させることとしてもよい。この場合の動作について、図８に示すフローチャートを用いて説明する。
まず、表示装置１，１０を点灯させ（Ｓ１）、表示画面１１に表示された画像が良く見えるか否かをユーザが判断する（Ｓ２）。
Ｓ２において、画像が良く見えないと判断した場合には、手動モードとなり、カバー１３に押圧力を加える、または、つまみ２３を回転させることにより（Ｓ３）、カバー１３の表示画面１１に対する角度を変化させる（Ｓ４）。これにより、カバー１３の表面の反射方向を変化させ（Ｓ５）、表示設定を終了する（Ｓ６）。
【００３８】
一方、Ｓ２において画像が良く見えると判断するとともに、外光が強いと判断した場合には（Ｓ７）、自動モードとなり、外光センサー２５により外光方向が検知され（Ｓ８）、カバー駆動部が駆動させられて（Ｓ９）、カバー１３の表示画面１１に対する角度を変化させる（Ｓ４）。これにより、カバー１３の表面の反射方向を変化させ（Ｓ５）、表示設定を終了する（Ｓ６）。
なお、上記のフローチャートにおいて、カバー１３に押圧力が加えられた場合、または、つまみ２３が回転させられた場合や（Ｓ３）、外光が強いと判断された場合には（Ｓ７）、表示画面１１の輝度を高くして視認性を向上させることしてもよい。
【００３９】
［第１の変形例］
図９は、第１の変形例に係る表示装置２０を備えるカメラの背面部を示した図である。
カメラの背面部には、カバー角度調整レバー３１が搭載されていて、カバー１３と連携して動作するようになっている。具体的には、カバー１３の回転軸２４から離れた位置にある上下のカバー角度調整レバー３１を押すことにより、カバー１３の傾斜角度が上下方向に可動する。また、このカバー角度調整レバー３１は左右方向にも可動するように搭載してもよく、その場合には、カバー１３の左右側に一個ずつ角度調整カバー３１を搭載するとともに、内部の機構を上下方向の可動と同様にすれば、左右方向に可動することができる。
【００４０】
図１０は、ダストシール部の断面の詳細を示した図である。
ダストシール３２は、伸縮部材１５と一体的に成型される。ダストシール３２は、カバー１３の周囲とカメラ本体間の隙間を塞ぎ、カメラ内部への埃や水分の浸入を防止している。また、図７ではカバー１３の回転軸２４がカメラ左右方向に延在して、カバー１３は上下方向の角度が変化するが、回転軸２４を上下方向に設けてカバー１３を左右に角度変化させることとしてもよい。
【００４１】
［第２の変形例］
図１１（ａ）および図１１（ｂ）は、カバー可動について、第２の変形例に係る表示装置３０の角度変化機構の主要部を示した図である。
図１１（ａ）の状態で、カバー１３は一端を軸支持され、他端をばね４４でカメラ本体側に付勢されている。ローラ４２がカメラ本体と、カバー１３の傾斜部との間に挟持され、角度調整つまみ４５により移動可能になっている。図１１（ａ）おいて、角度調整つまみ４５を矢印Ｂの方向に移動させるとばね４４の付勢力に反し、カバー１３が矢印ｂの方向に回動する。また、図１１（ｂ）のように、角度調整つまみ４５を矢印Ｃのほうに移動させると、ばね４４の付勢力によりカバー１３は矢印ｃの方向に回動する。
【００４２】
［適用例］
次に、上記の表示装置１，１０，２０，３０をカメラに適用した例について説明する。ここでは代表として表示装置１を採用した場合について説明する。
本適用例に係るカメラは、撮像装置を有するカメラは、表示装置１と、被写体を撮影する撮像装置（図示略）と、撮像装置により取得された画像を表示装置１に表示させる制御部（図示略）とを備えている。
【００４３】
このようなカメラによれば、表示画面１１の角度を変化させることなく、カバー１３の表面、カバー１３の裏面、および表示画面１１の表面からの反射を抑制し、良好な視認性を確保した状態で、撮像装置により被写体の撮影を行うことができる。特に、表示画面１１に対するカバー１３の角度を変化させる駆動機構を採用することにより、ユーザがカバー１３を押圧する必要性を排除することができるので、押圧力により撮像装置の焦点が被写体から外れてしまうことを防止することができる。
なお、ここでは表示装置１の適用例としてカメラを例に挙げて説明したが、表示装置１を携帯電話やＰＤＡ（携帯情報端末）等の表示機能を有する電子機器に採用してもよい。
【００４４】
以上、本発明の各実施形態について図面を参照して詳述してきたが、具体的な構成はこの実施形態に限られるものではなく、本発明の要旨を逸脱しない範囲の設計変更等も含まれる。
例えば、表示画面１１は、液晶ディスプレイであるとして説明したが、これに代えて、プラズマディスプレイ、有機エレクトロルミネッセンスディスプレイ、電界放出ディスプレイ、電子ペーパー、ブラウン管ディスプレイ、発光ダイオードディスプレイのいずれかとしてもよい。
【００４５】
また、透明部材１７は、例えば水やパラフィンオイル等の透明の液体であるとして説明したが、これに代えて、ゲル等の分散体やシリコンゴム等の弾性体を採用することとしてもよい。特に、弾性体を採用することで、弾性力により表示画面１１とカバー１３との位置関係を、外部から押圧力を加える前の状態に復元することができる。
【００４６】
また、表示画面１１が液晶ディスプレイや電子ペーパーの場合には、透明部材１７により回路基板がショートしてしまうことを防止するために、透明部材１７と表示画面１１との間に、透明部材１７を通過させない材質で構成された透明の保護部材を設けることとしてもよい。
【符号の説明】
【００４７】
１，１０，２０，３０  表示装置
１１  表示画面
１３  カバー
１５  伸縮部材
１７  透明部材
１９  押圧力
２３  つまみ
２４  回転軸
２５  外光センサー
２６  クリック用凹凸
２７  クリック用つめ
３１  カバー角度調整レバー
３２  ダストシール
４１  回転軸
４２  ローラ
４３  傾斜部
４４  ばね
４５  角度調整つまみ
【図１】
2010169907.tif 000003
【図２】
2010169907.tif 000004
【図３】
2010169907.tif 000005
【図４】
2010169907.tif 000006
【図５】
2010169907.tif 000007
【図６】
2010169907.tif 000008
【図７】
2010169907.tif 000009
【図８】
2010169907.tif 000010
【図９】
2010169907.tif 000011
【図１０】
2010169907.tif 000012
【図１１】
2010169907.tif 000013